(57)【要約】【課題】凍結防止用の水を間欠的に供給する凍結防止機能を備えた局部洗浄装置の提供を目的とする。【解決手段】給水源から供給された洗浄水を人体局部に向けて噴出する洗浄ノズルと、給水源から洗浄ノズルへの流路を開閉する電磁弁を備えた局部洗浄装置において、設定時間毎に電磁弁を開閉制御するタイマー回路と、このタイマー回路をオンオフ制御する凍結防止スイッチとを備えたので、凍結時に凍結防止スイッチをＯＮに選択すると、タイマー回路は作動して設定時間毎に電磁弁を開閉制御する。局部洗浄装置の洗浄水給排水路は、電磁弁の開閉により凍結防止水が間欠的に洗浄ノズルから便器へ排出され凍結が防止される。凍結防止スイッチをＯＦＦに選択すると、タイマー回路は作動せず、通常の局部洗浄制御を行なう。【選択図】　図２
2004027555.tif 000002
【特許請求の範囲】
【請求項１】
給水源から供給された洗浄水を人体局部に向けて噴出する洗浄ノズルと、給水源から前記洗浄ノズルへの流路を開閉する電磁弁を備えた局部洗浄装置において、設定時間毎に前記電磁弁を開閉制御するタイマー回路と、このタイマー回路をオンオフ制御する凍結防止スイッチとを備えたことを特徴とする局部洗浄装置。
【請求項２】
請求項１記載の局部洗浄装置において、前記洗浄ノズルと電磁弁との間に洗浄水を適温に加熱する熱交換器を設けたことを特徴とする局部洗浄装置。
【請求項３】
請求項１若しくは請求項２記載の局部洗浄装置において、前記凍結防止スイッチと局部洗浄指示を行うスイッチとを兼用スイッチとしたことを特徴とする局部洗浄装置。
【請求項４】
請求項３記載の局部洗浄装置において、人体の着座を検知する着座検知手段を備え、該着座検知手段により着座を検知している時は前記兼用スイッチを局部洗浄指示スイッチとして、着座を検知していない時は凍結防水スイッチして機能するよう構成したことを特徴とする局部洗浄装置。
【請求項５】
請求項４記載の局部洗浄装置において、前記着座検知手段により着座を検知している間に前記タイマー回路により電磁弁への開閉指令がなされたときにはタイマー回路に基づく電磁弁の開閉動作を行わないよう構成したことを特徴とする局部洗浄装置。
【請求項６】
請求項５記載の局部洗浄装置において、前記着座検知手段により非着座を検知した際にタイマー回路を再始動するよう構成したことを特徴とする局部洗浄装置。
【発明の詳細な説明】
【０００１】
【発明の属する技術分野】
本発明は、スイッチ操作で電磁弁を開閉制御して局部洗浄を行う局部洗浄装置に凍結防止機能を付加させる改良に関する。
【０００２】
【従来の技術】
便器に設けられる局部洗浄装置は、使用者により操作される操作スイッチと、洗浄水供給配管の途中に設けた電磁弁と、供給される洗浄水を適温に加熱する熱交換器と、人体の局部へ洗浄水を放出する洗浄ノズルと、操作スイッチからの入力信号に基づいて電磁弁に開閉信号を出力すると共に熱交換器を制御する制御回路とを備えている。
【０００３】
【発明が解決しようとする課題】
従来、局部洗浄装置は、凍結防止を自動的に行う機能を備えたものが無かつた。寒冷地では凍結防止対策が必要であるが、凍結防止対策としては、洗浄水給排水路に残留した残留水を水抜き栓を操作して排出していたが、残留水の水抜き作業には多くの手間を必要とするという問題点がある。本発明は、上記問題点解決のために、凍結防止用の水を間欠的に供給する凍結防止機能を備えた局部洗浄装置の提供を目的とする。
【０００４】
【課題を解決するための手段及び作用、効果】
上記課題を解決するために請求項１の発明では、給水源から供給された洗浄水を人体局部に向けて噴出する洗浄ノズルと、給水源から前記洗浄ノズルへの流路を開閉する電磁弁を備えた局部洗浄装置において、設定時間毎に前記電磁弁を開閉制御するタイマー回路と、このタイマー回路をオンオフ制御する凍結防止スイッチとを備えたので、凍結時に凍結防止スイッチをＯＮに選択すると、タイマー回路は作動して設定時間毎に電磁弁を開閉制御する。局部洗浄装置の洗浄水給排水路は、電磁弁の開閉により凍結防止水が間欠的に洗浄ノズルから便器へ排出され凍結が防止される。凍結防止スイッチをＯＦＦに選択すると、タイマー回路は作動せず、通常の局部洗浄制御を行なう。
【０００５】
また、請求項２の発明では、請求項１記載の発明に加え、前記洗浄ノズルと電磁弁との間に洗浄水を適温に加熱する熱交換器を設けたので、温水を局部洗浄装置の洗浄水給排水路内に排出することで、雰囲気温度も高めることができ、効果的に凍結を防止することができる。
【０００６】
また、請求項３の発明では、請求項１若しくは請求項２記載の発明に加え、前記凍結防止スイッチと局部洗浄指示を行うスイッチとを兼用スイッチとしたので冬季しか使用しない凍結スイッチを設ける必要がなく、コストアップを防止することができる。
【０００７】
また、請求項４の発明では、請求項３記載の発明に加え、人体の着座を検知する着座検知手段を備え、該着座検知手段により着座を検知している時は前記兼用スイッチを局部洗浄指示スイッチとして、着座を検知していない時は凍結防水スイッチして機能するよう構成したので、使用者が意識することなく使用者の意図に応じたスイッチ機能を切替えを行うことができる。
【０００８】
また、請求項５の発明では、請求項４記載の発明に加え、前記着座検知手段により着座を検知している間に前記タイマー回路により電磁弁への開閉指令がなされたときにはタイマー回路に基づく電磁弁の開閉動作を行わないよう構成したので、タイマー回路に基づく捨水動作で熱交換器内に冷水が導入されて温水が冷たくなることがなく、凍結防止動作中においても局部洗浄に快適な温水を利用することができる。
【０００９】
また、請求項６の発明では、請求項５記載の発明に加え、前記着座検知手段により非着座を検知した際にタイマー回路を再始動するよう構成したので、使用者が利用を終えるまでは確実にタイマー回路による電磁弁の開閉動作を行わせないようにすることができる。
【００１０】
【発明の実施の形態】
以下図面を用いて、本発明の局部洗浄装置を詳細に説明する。図１は本発明の局部洗浄装置の一実施例を示すブロック図、図２は同実施例の制御動作を示すフローチヤートである。
本発明の局部洗浄装置は、使用者により操作される兼用スイッチ、給水源に接続される洗浄水供給配管の途中に設けた電磁弁と、電磁弁により供給される洗浄水を適温に加熱する熱交換器、洗浄水を人体局部に供給するための洗浄ノズル、局部洗浄装置を使用する使用者の着座を検知する着座センサ、兼用スイッチの操作信号を入力して電磁弁に開閉信号を出力する制御装置とを備えている。この制御装置に、設定時間毎に電磁弁を開閉制御するタイマー回路とスイッチ操作に基づいて電磁弁を開閉制御するスイッチ操作回路とを組込む。制御装置、電磁弁及び熱交換器には、電源回路を夫々接続してある。
【００１１】
上記制御装置は、図２に示す如く作動する。先ず、制御装置は、兼用スイッチの指令を受けると、着座センサによる着座の有無を確認する。もし着座中であれば、局部洗浄指令がなされたと判断して所定時間（例えば３０秒）電磁弁を開放し、局部洗浄を行う。着座していなければ、凍結防止操作がなされたとみなし、現在の状態がタイマー回路オンなのかを確認する。もしタイマー回路がオンであればタイマー回路をオフとして待機状態▲１▼へ移行する。タイマー回路がオフであれば、タイマー回路をオンとして、タイマーを始動する。その後設定時間（例えば５分）が経過したかを確認し、設定時間が経過していれば、そのときの着座状態を調べ、着座中でなければ所定時間（例えば３０秒）電磁弁を開放して洗浄給排水路に温水を流して凍結を防止する。着座中であれば電磁弁開放動作を行わずに、非着座となるのを待ってタイマー回路を再始動する。
【００１２】
タイマー回路がオンである間は設定時間経過毎に電磁弁を所定時間開放することで洗浄給排水路が凍結することを防止する。
【００１３】
上記実施例においては、局部洗浄を所定時間行うよう構成したが、止スイッチを設け止スイッチが押されるまで局部洗浄を行うよう構成しても良い。
また、所定時間を３０秒固定としたが可変できるよう構成しても良い。
【図面の簡単な説明】
【図１　】本発明の局部洗浄装置の実施例を示すブロック図
【図２　】同実施例の制御動作を示すフローチヤート
【図１】
2004027555.tif 000003
【図２】
2004027555.tif 000004